(57)【要約】【課題】  レース地により被装飾材の表面を一体感のある高級感をもって装飾できるレース地埋め込み装飾構造を提供する。【解決手段】  被装飾材であるテーブル１のテーブル面１Ａに刻設された凹部の透かしパターンに合わせて特定のレース地２を填め込むことにより、テーブル１のテーブル面１Ａが特定のレース地２で装飾される。この場合、特定のレース地２は、テーブル面１Ａに埋め込まれて一体化し、高級感のある装飾性を発揮する。【選択図】      図２
2008194925.tif 000002
【特許請求の範囲】
【請求項１】
被装飾材の表面を特定のレース地で装飾する装飾構造であって、
前記被装飾材の表面には、前記特定のレース地の透かしパターンに対応した凹部が刻設されており、
前記凹部に前記特定のレース地が填め込まれることを特徴とするレース地埋め込み装飾構造。
【請求項２】
前記凹部の壁面には、前記特定のレース地の厚み方向に延びる筋目状の粗面部が全体的に又は部分的に点在して形成されており、この凹部に前記特定のレース地が着脱自在に填め込まれることを特徴とする請求項１に記載のレース地埋め込み装飾構造。
【請求項３】
前記凹部は、開口縁部が迫り出しており、この凹部に前記特定のレース地が着脱自在に填め込まれることを特徴とする請求項１または２に記載のレース地埋め込み装飾構造。
【請求項４】
前記特定のレース地には、目付け量の少ない網目部分と、目付け量の多い模様部分とが混在しており、特定のレース地の全体の単位面積に対する模様部分の占有面積の比率が１０〜９０％であり、網目部分の目付け量が１０〜１００ｇ／ｍ2、模様部分の目付け量が１００〜９００ｇ／ｍ2であることを特徴とする請求項１〜３の何れかに記載のレース地埋め込み装飾構造。
【請求項５】
前記被装飾材が家具または建具であることを特徴とする請求項１〜４の何れかに記載のレース地埋め込み装飾構造。
【発明の詳細な説明】
【技術分野】
【０００１】
本発明は、例えば家具や建具などの表面をレース地により装飾するためのレース地埋め込み装飾構造に関するものである。
【背景技術】
【０００２】
一般に、透かし模様のレース地は、衣服の襟や袖、女性用下着などを装飾するものとして使用され、あるいは、室内を装飾するカーテンとして使用されている。また、このようなレース地は、その美麗な装飾性のため、テーブルセンタや椅子のカバーなどにも使用されている。
【０００３】
ここで、特許文献１には、窓ガラスなどの平滑面に吸着できるようにしたレース地の装飾構造が提案されている。このレース地の装飾構造は、粘着特性のあるシリコーンゴムにレース地を重ねて一体化したものであり、窓ガラスなどに着脱可能であって、透明性、弾力性、伸び率にすぐれた特性を持つものとされている。
【特許文献１】特開２０００−２０３１９８号公報
【発明の開示】
【発明が解決しようとする課題】
【０００４】
ところで、特許文献１に記載されたようなレース地の装飾構造は、シリコーンゴムの厚みの分だけレース地が窓ガラス等の表面から浮き上がるため、如何にも取って付けたような感じで美観が悪く、窓ガラスとの一体感に欠けて高級感が得られないという問題がある。
【０００５】
このような問題を解決するため、本発明は、レース地により被装飾材の表面を一体感のある高級感をもって装飾できるレース地埋め込み装飾構造を提供することを課題とする。
【課題を解決するための手段】
【０００６】
このような課題を解決するための手段として、本発明に係るレース地埋め込み装飾構造は、被装飾材の表面を特定のレース地で装飾する装飾構造であって、被装飾材の表面には、特定のレース地の透かしパターンに対応した凹部が刻設されており、この凹部に特定のレース地が填め込まれることを特徴とする。
【０００７】
本発明に係るレース地埋め込み装飾構造では、被装飾材の表面に刻設された凹部の透かしパターンに合わせて特定のレース地を填め込むことにより、被装飾材の表面が特定のレース地で装飾される。この場合、特定のレース地は、被装飾材の表面に埋め込まれて一体化し、高級感のある装飾性を発揮する。
【０００８】
本発明のレース地埋め込み装飾構造において、被装飾材の表面に刻設される凹部の壁面には、特定のレース地の厚み方向に延びる筋目状の粗面部を全体的に又は部分的に点在して形成することができる。この場合、凹部に填め込まれた特定のレース地の繊維が凹部の壁面に形成された粗面部に引っ掛かって特定のレース地が着脱自在となるので好ましい。また、凹部の開口縁部が迫り出していると、この凹部に填め込まれた特定のレース地が凹部の開口縁部により抜け出しが防止されて着脱自在となるので好ましい。
【０００９】
また、本発明のレース地埋め込み装飾構造において、特定のレース地に目付け量の少ない網目部分と、目付け量の多い模様部分とが混在する場合、特定のレース地の全体の単位面積に対する模様部分の占有面積の比率が１０〜９０％、好ましくは３０〜７０％であり、網目部分の目付け量が１０〜１００ｇ／ｍ2、好ましくは５０〜７０ｇ／ｍ2、模様部分の目付け量が１００〜９００ｇ／ｍ2、好ましくは２００〜８００ｇ／ｍ2であると、特定のレース地が一層高級感のある装飾性を発揮するので好ましい。
【００１０】
ここで、本発明のレース地埋め込み装飾構造は、特定のレース地の透かしパターンに対応した凹部を刻設できるものであれば如何なる被装飾材にも適用可能であるが、家具や建具であれば、その高級感を特定のレース地によって一層高めることができるので好ましい。
【発明の効果】
【００１１】
本発明に係るレース地埋め込み装飾構造によれば、被装飾材の表面の凹部に填め込まれた特定のレース地が被装飾材の表面に一体化するため、レース地により被装飾材の表面を一体感のある高級感をもって装飾することができる。
【発明を実施するための最良の形態】
【００１２】
以下、添付図面を参照して本発明に係るレース地埋め込み装飾構造の最良の実施形態を説明する。ここで、図１は一実施形態に係るレース地埋め込み装飾構造が適用される被装飾材としてのテーブルの全体を示す斜視図、図２は図１に示したＩＩ部の拡大平面図、図３は図２に示したＩＩＩ部の拡大平面図、図４は図２のＩＶ−ＩＶ線断面図である。なお、以下の説明において、同一または同様の構成要素については、同一の符号を付して重複した説明を省略することがある。
【００１３】
一実施形態に係るレース地埋め込み装飾構造は、例えば図１に示す木製のテーブル１を被装飾材として、そのテーブル面１Ａの縁部を特定のレース地２によって装飾する構造である。
【００１４】
図２に拡大して示すように、テーブル面１Ａには、特定のレース地２が填め込まれている。このレース地２を填め込むため、テーブル面１Ａには、図３に拡大して示すように、レース地２の透かしパターンに対応した凹部３が刻設されている。
【００１５】
特定のレース地２には、目付け量の少ない網目部分２Ａと、目付け量の多い模様部分２Ｂとが混在している。レース地２全体の単位面積（透かし部分も面積としたもの）に対する模様部分２Ｂの占有面積（透かし部分も面積としたもの）の比率は、特定のレース地２が一層高級感のある装飾性を発揮できる範囲として、１０〜９０％、好ましくは３０〜７０％程度で、かつ網目部分の目付け量は１０〜１００ｇ／ｍ2、好ましくは５０〜７０ｇ／ｍ2、模様部分の目付け量は１００〜９００ｇ／ｍ2、好ましくは２００〜８００ｇ／ｍ2程度が適している。
上記範囲を外れると、高級感のあるレース地２とはならず、合成樹脂シートをレース様に打抜いたものを埋め込んでいる感が出てしまったり、レースではない例えば毛皮を埋め込んでいる感が出るなどの問題が生じる。
【００１６】
テーブル面１Ａの凹部３は、例えばレーザ光線を照射する市販のレーザ彫刻機やドリルその他の適宜の手段を使用することで、あるいはこれらの複数種を適宜組み合わせて使用することで、レース地２の透かしパターンに対応して刻設されており、その凹部３の深さは、特定のレース地２の上面がテーブル面１Ａと略面一となる深さに加工されている。
【００１７】
また、凹部３の壁面は、レーザ彫刻などにより、特定のレース地２の繊維が引っかかる程度の微小な凹凸のギザギザが連続する粗面に加工されている。すなわち、凹部３の壁面には、特定のレース地２の厚み方向に延びる筋目状の粗面部が全体的に又は部分的に点在して形成されている。さらに、凹部３の開口縁部３Ａは、図４に示すように、内側に若干迫り出しており、その開口幅が底部の幅より若干狭く、具体的には１〜１０％程度、好ましくは２〜５％程度狭くなっている。これより小さいと、家具や建材などの使用時において、レース地が外れ易くなり、これより大きいと、レース地が填め込み難くなることがある。
【００１８】
以上のように構成された一実施形態のレース地埋め込み装飾構造では、レーザ彫刻機などによってテーブル１のテーブル面１Ａに刻設された凹部３の透かしパターンに合わせて特定のレース地２を嵌め込む。すると、レース地２は、凹部３の壁面に形成された筋目状の粗面部の微小な凹凸のギザギザに繊維が引っ掛かり、かつ、凹部３の開口縁部３Ａの迫り出しによって抜け出しが防止されることで、テーブル面１Ａに着脱自在に装着される。
【００１９】
この状態で、特定のレース地２は、被装飾材であるテーブル１のテーブル面１Ａに埋め込まれて一体化し、高級感のある装飾性を発揮してテーブル面１Ａを装飾する。
【００２０】
その際、特定のレース地２は、目付け量の少ない網目部分２Ａと、目付け量の多い模様部分２Ｂとが混在しており、レース地２全体の単位面積（透かし部分も面積としたもの）に対する模様部分２Ｂの占有面積（透かし部分も面積としたもの）の比率、網目部分尾目付け量、模様部分の目付け量を上記の範囲としているため、一層高級感のある装飾性を発揮してテーブル面１Ａを装飾する。
【００２１】
従って、一実施形態に係るレース地埋め込み装飾構造によれば、特定のレース地２により、被装飾材であるテーブル１のテーブル面１Ａを一体感のある高級感をもって装飾することができる。
【００２２】
また、特定のレース地２は、テーブル１のテーブル面１Ａに対して着脱できるため、汚れた場合には、取り外してクリーニングし、あるいは新品に交換することができる。
【００２３】
本発明に係るレース地埋め込み装飾構造は、前述した一実施形態に限定されるものではない。例えば、テーブル１のテーブル面１Ａに刻設した凹部３内には予め粘着材を塗布しておき、この粘着材の粘着力により特定のレース地２を着脱できる構造としてもよいし、あるいは、レース地２の裏面に予め接着材を塗布しておき、この接着材により特定のレース地２を凹部３内に接着してもよい。
【００２４】
特定のレース地２は、通常、目付け量の少ない網目部分２Ａと、目付け量の多い模様部分２Ｂとが混在しているが、その比率は如何なる比率であってもよい。また、網目部分２Ａと模様部分２Ｂとが明確に区別できないようなパターンを含めて、如何なるパターンのレース地であってもよい。
【００２５】
そして、このような特定のレース地２が装飾する部位は、テーブル面１Ａの縁部に限らず、テーブル面１Ａの中央部やその他の適宜の部位とすることができる。
【００２６】
一方、被装飾材は、図１に示したテーブル１に限らず、椅子や机、タンス、本箱などの家具類や、ドア、窓枠などの建具類であってもよいし、額縁やフォトフレームなどの室内調度品であってもよい。また、ホテルやレストランで料理を運ぶトレーなどであってもよい。
【００２７】
また、被装飾材の材質は、木製に限らず、金属製、ガラス製、プラスチックス製、天然あるいは合成皮革製などであってもよい。
これらの被装飾材に、特定のレース地の透かしパターンに対応した凹部を刻設する手段としては、前記したレーザ彫刻機やドリル等を使用しての手段の他に、被装飾材がプラスチックス製、ガラス製、金属製等の型成形品にあっては、該成形型に予め上記レース地の透かしパターンに対応した凸部を設けておき、被装飾材の成形と同時に該パターンが刻設（成形）される態様であってもよい。この態様の場合には、成形の後、さらにレーザ彫刻機やドリル等を使用して刻設する工程を加え、複雑なパターンであっても容易に対応できるようにすることもできる。
そして、被装飾材の表面は、平面に限らず、曲面であってもよい。
【図面の簡単な説明】
【００２８】
【図１】本発明の一実施形態に係るレース地埋め込み装飾構造が適用される被装飾材としてのテーブルの全体を示す斜視図である。
【図２】図１に示したＩＩ部の拡大平面図である。
【図３】図２に示したＩＩＩ部の拡大平面図である。
【図４】図２のＩＶ−ＩＶ線断面図である。
【符号の説明】
【００２９】
１    テーブル
１Ａ  テーブル面
２    特定のレース地
２Ａ  網目部分
２Ｂ  模様部分
３    凹部
３Ａ  開口縁部
【図１】
2008194925.tif 000003
【図２】
2008194925.tif 000004
【図３】
2008194925.tif 000005
【図４】
2008194925.tif 000006